(57)【特許請求の範囲】
【請求項１】
上部に吸引部を下部にベース部を有する照明器具であって、前記吸引部に送風機を取り付け、前記ベース部に竜巻状の空気流を発生させる吹出機構と蒸気を発生させる蒸発機構とを取り付け、前記吸引部と前記ベース部の間の竜巻状の空気流に光を照射したことを特徴とする照明器具。
【請求項２】
請求項１に記載した発明において、吹出機構が送風機とベース部に取り付けた長尺のノズルであって複数の整流板を有するものとからなり、少なくとも３本以上のノズルを前記ベース部の中央からほぼ均等に、平面視において各ノズルの吹き出し方向への延長線が隣のノズルと交差する位置に配置したことを特徴とする照明器具。
【請求項３】
請求項２に記載した発明において、各ノズルに対しそれぞれ平行に複数の補助ノズルを設置したことを特徴とする照明器具。
【請求項４】
請求項１乃至請求項３に記載した発明において、蒸発装置が水を貯める蒸発皿と加湿器とからなることを特徴とする照明器具。
【請求項５】
請求項１乃至請求項４に記載した発明において、上部の吸引部のみに電球を取り付け、若しくは下部のベース部のみに電球を取り付け、又は上部の吸引部と下部のベース部の両方に電球を取り付け、竜巻状の空気流に光を照射するようにしたことを特徴とする照明器具。
【発明の詳細な説明】
【０００１】
【発明の属する技術分野】
本明細書においては「竜巻状の空気流」とは「水平方向に旋回しながら上昇する空気流」を意味するものとする。
本発明は非日常的な自然現象をイメージさせる光を発する照明器具に関する。
特に水蒸気を竜巻状の空気流に乗せ、これに光を照射して竜巻状の反射光を発生させる照明器具に関する。
かかる照明器具であって小型のものを寝室や静かに瞑想したい部屋などに置いて個人的に自らの気持ちを落ち着かせるために使用したり、中型のものを喫茶店や料亭などに置いて落ち着いた雰囲気を醸し出す目的で使用したり、大型のものをホテルや展示会やショーなどの会場に置いて人目を引く展示物として使用したりするための照明器具に関する。
【０００２】
【従来の技術】
従来は竜巻状の光を発する照明器具はなかった。
空気の流れを人が見えるようにする方法として煙を発生させる方法があるが、煙は環境を汚染するため適当でなく特に屋内における使用には適さない。また、ドライアイスや液体窒素などから発生する水蒸気を使用する方法もあるが、ドライアイスや液体窒素の費用が高くかかり適当でない。
また、従来の照明器具は一定の光を放つものばかりであり、回りの空気流の変化に応じて形を変えたり、動いたり、壊れたり、消えたり、再生したりして、自然現象のような様々な表情を見せる照明器具はなかった。
【０００３】
【発明が解決しようとする課題】
本発明の目的は、煙を発生させる方法の持つ環境を汚染する問題をなくし、ドライアイスや液体窒素などを使用する方法の持つ費用がかかる問題をなくして、空気の流を可視化した照明器具を提供することにある。
また他の目的は、一定の光を放つ単純な照明でなく、回りの空気流の変化に応じて形を変えたり、動いたり、壊れたり、消えたり、再生したりして、自然現象に近い様々な表情を見せる照明器具を提供することにある。
【０００４】
【問題を解決するための手段】
上部に吸引部を下部にベース部を有する照明器具として、吸引部とベース部をアームで連結する。そして、ベース部に竜巻状の空気流を発生させる吹出機構と蒸気を発生させる蒸発機構を取り付ける。
さらに、上部の吸引部に取り付けた送風機により竜巻状の空気流を吸引し、吸引部とベース部の間の竜巻状の空気流に光を照射させる。
また、ベース部に長尺のノズルであって複数の整流板を有するものを、少なくとも３本以上ベース部の中央からほぼ均等に、平面視において各ノズルの吹き出し方向への延長線が隣のノズルと交差する位置に配置し、送風機を取り付けてノズルから空気を吹き出させることにより、竜巻状の空気流を発生させて吹出機構を構成する。
また、ベース部の中央部に蒸発皿を設けこれに水を貯め、加湿器を取り付けて蒸気を発生させて蒸発機構を構成する。
さらに、上部の吸引部若しくは下部のベース部に電球を取り付け、又は上部の吸引部と下部のベース部の両方に電球を取り付けて、竜巻状の空気流に光を照射するようにする。
【０００５】
【発明の実施の形態】
以下本発明を図１に示す第１実施例に基づいて説明する。本実施例にかかる照明器具１は上部に吸引部４を下部にベース部５を有し、平面視において両者の中心をほぼ一致させてアーム１３で連結した。吸引部４の上からベースの下までの高さは約７０ｃｍ、ベース部５は平面視において約５０ｃｍの円に内接する５角形の形状とした。
吸引部４は、下方に向かうほど細くなる円錐台の外形を有する筒状の笠１２と、笠１２の上部に取り付けた送風機６と、送風機６の下部に設置したソケット１０に取り付けた電球８とからなる。
本実施例では、送風機６は外形寸法１２×１２×２．５ｃｍであって１分間に約２２００リットルの空気を送風する能力を持つものを使用した。また、電球８は３５Ｗのハロゲンランプを使用した。
【０００６】
ベース部５の中央部下側には水を貯める蒸発皿１６を設置し、水面１４の下限位置を検出する水位センサ１９と加湿器２０を取り付けた。加湿器２０は超音波加湿器で加湿能力は１時間に約２５０ｃｍ３ のものを使用した。
また、蒸発皿１６の下面の中央部は光を透過する透明板１７とし、透明板１７の下のホルダ２１にソケット１１を設置して電球９を取り付けた。電球９は３５Ｗのハロゲンランプを使用した。
蒸発皿１６の天上板１６ｂは平面視において中央に開口１６ａを有するドーナツ形状をしている。また、天井板１６ｂは穴１６ｃを有し、穴１６ｃの下には突起１６ｅを設置した。
蒸発皿１６の上には取り外し可能な状態でタンク２２を取り付けた。タンク２２は平面視において中央に空洞２２ｃを有するドーナツ形状をしている。タンク２２には水を給水するための蓋（図示せず）と、蒸発皿１６に水を流す導水管２２ａを設置し、導水管２２ａの中には頭２３ａを有するピン２３を上下移動可能に設置し、バネ２５によりピン２３に下向きの力を与えている。
【０００７】
ベース部５の中央にあるタンク２２や蒸発皿１６の外側は空洞のチャンバ１５とし、上面１５ａには幅Ｄは３ｍｍ×長さは２１５ｍｍの長方形状を有し、高さＨは２０ｍｍのノズル１５ｂを５本、次に記載するように均等に配置した。
平面視においてベース部５の中心を中心とする直径３８ｃｍの円を５等分した点を、それぞれのノズル１５ｂの長方形状の一方の短辺の中心とし、他の短辺が中心に近づくように配設するが、平面視において各ノズルの吹き出し方向への延長線が隣のノズル１５ｂの中央部と交差する位置に配置した。
ノズル１５ｂには整流板１５ｃを約３０ｍｍピッチで、上面１５ａとの角度Ｅが４５度になるように取り付けた。
また、下面１５ｈには５つの開口１５ｇを均等に設け、それぞれの開口１５ｇに送風機７を取り付けた。送風機７は外形寸法８×８×２．５ｃｍであって１分間に約９３４リットルの空気を送風する能力を持つものを使用した。
ベース部５の下側には空間２６ｂを有するカバ２６ａと支柱２６を取り付け、照明器具１全体を支持する構成とした。
【０００８】
次に図２に示した第２実施例の照明器具２について説明する。第１実施例と異なる点はベース部５の５本のノズル１５ｂに対し、それぞれ補助ノズル１５ｄ、１５ｅ、１５ｆを追加したことである。
補助ノズル１５ｄ、１５ｅ、１５ｆはノズル１５ｂと平行に２５ｍｍの間を隔てて設置した。その寸度は幅Ｄは３×高さＨは２０ｍｍであって、補助のズル１５ｄの長さは１００ｍｍ、補助ノズル１５ｅの長さは６２ｍｍ、補助ノズル１５ｆの長さは５０ｍｍとした。
また、図３にベース部の平面視における形状を円形にした第３実施例の照明器具３を示したが、ベース部の形状についてはどんな形状でもよく、図示した実施例にこだわるものではない。
【０００９】
上記した本発明の実施例に基づき以下その作用について説明する。タンク２２を取り外すとピン２３はバネ２５の力により下降し、頭２３ａが導水管２２ａを塞ぎ導水管２２ａは密閉状態となる。
タンク２２に水１８を給水した後に図示しない蓋で密閉し、導水管２２ａを蒸発皿の穴１６ｃに差し込みながら蒸発皿１６の上にタンク２２を置くと、ピン２３の先端が突起１６ｅに押されるため上昇し頭２３ａが導水管から離れて水１８は蒸発皿１６に流れ込む。
蒸発皿１６に流れ込んだ水の水面１４が導水管２２ａの下端２２ｂに達すると、タンク２２内の空気圧が下がり水１８の蒸発皿１６への流入が停止する。蒸発皿１６の水が減れば水面１４が導水管２２ａ下端２２ｂから離れ、タンク２２内の水１８は蒸発皿１６に再び流れる。このようにして蒸発皿１６の水面１４の高さは所定の高さに維持される。
蒸発皿１６に取り付けた加湿器２０は水に超音波を照射して水の超微粒子を発生させこれを蒸発させる。発生した水蒸気は開口１６ａと空洞２２ｃを通り上昇する。
加湿器２０には水面１４が高過ぎると水蒸気を発生しなくなったり、水面１４が低すぎると空だき状態となり破損するものがあるが、本実施例によると水面１４は所定の範囲に保たれ、水位センサ１９で水面１４の下限値を検出しているので加湿器２０の性能を十分発揮させることが可能である。
【００１０】
チャンバ１５にある５台の送風機７により外気は空間２６ｂを通り、開口１５ｇからチャンバ１５内に吹き込まれチャンバ１５は加圧される。加圧されたチャンバ１５内の空気はノズル１５ｂや補助ノズル１５ｄ、１５ｅ、１５ｆから勢いよく吹き出す。
ノズル１５ｂや補助ノズル１５ｄ、１５ｅ、１５ｆには整流板１５ｃが付いているので、ほぼ整流板と平行方向に斜め上方に向かって吹き出す平面的な空気流３０、３０ｄ、３０ｅ、３０ｆが生じることになる。
空気流は静風圧が低く回りの空気を吸引しながら流れるため、実施例１では５本のノズル１５ｂから斜め上方に向かって吹き出す平面的な空気流３０が、それぞれ吹き出し方向前方の隣の空気流に吸引され横方向の力を受け、平面視において全体的に反時計回りの竜巻状の空気流が発生する。
実施例２では補助ノズル１５ｄ、１５ｅ、１５ｆから斜め上方に向かって吹き出す平面的な空気流３０ｄ、３０ｅ、３０ｆが、吹き出し方向後方隣のノズル１５ｂから吹き出す斜め上方に向かう平面的な空気流３０に、横方向の力を与え更に旋回力の強い竜巻状の空気流を発生させる。
【００１１】
蒸発皿１６から発生した水蒸気は開口１６ａと空洞２２ｃを通り上昇し、反時計回りの竜巻状の空気流に吸収され旋回しながら上昇し吸引部４付近に至る。
吸引部４付近に至った水蒸気と空気流は、送風機６の発生する吸引力により笠の口１２ａから吸い込まれ上方に排出される。送風機６の吸引力により竜巻状の空気流が比較的安定した形状を保つ効果が得られる。
本実施例では、吸引部４の電球８とベース部５の電球９の両方の光を旋回しながら上昇する水蒸気に照射するので、水蒸気から反射した光が水蒸気の動きに伴い旋回しながら上昇してあたかも竜巻のような光を発する。
回りの空気が静かであれば、一定の旋回しながら上昇する光を発するが、回りの空気が動くと影響されて変形し、回りの空気の動きが大きいときには竜巻状の光が消えたり生まれたりして美しい。
【００１２】
上記実施例では、ノズル１５ｂの幅Ｄを３ｍｍとしたがこのような小型の照明器具１においてはＤ寸法は２〜４ｍｍ程度とすることが好ましい。また、ノズル１５ｂの高さＨ寸法は１０ｍｍ以上とすることが好ましい。いずれもはっきりとした水平方向に旋回しながら上昇する気流を発生させるためである。
また、上記実施例では整流板１５ｃの角度Ｅを４５度としたが、この角度は２０度以上６０度以下とすることが好ましい。整流板１５ｃの角度Ｅを４５度より小さくするに伴い、段々と空気流の旋回力は大きくなるが上昇力は小さくなるため途中で旋回流から離れる空気の量が増加し、一方、整流板１５ｃの角度Ｅを４５度より大きくするに伴い、段々と旋回力は弱くなり竜巻の形がぼけた感じの光を発生する。従って整流板１５ｃの角度Ｅは４５度前後とすることが望ましいが、人の好みはそれぞれであり４５度前後にこだわるものではない。
また、上記実施例では５本のノズル１５ｂを取り付けたが、ノズルの数は３本以上あれば竜巻状の空気流を発生させることが可能であり、上記した実施例にこだわるものではない。
【００１３】
上記実施例ではチャンバ１５に送風機７を５個取り付けたが、小さな能力の送風機を５個以上、あるいは大能力の送風機を１個だけ取り付ける方法もあり、送風機の能力も含め上記した実施例にこだわるものではない。
上記した実施例では吸引部４とベース部５の両方にそれぞれ３５Ｗのハロゲンランプを使用したが、特にハロゲンランプにこだわるものではなくまた３５Ｗのランプである必要もない。また、吸引部４にのみ電球を取り付けたりベース部５にのみ電球を取り付けてもよい。それぞれ発する光の強さが異なったり、強い光を発する場所が異なることになるが、人の好みによるところが大きいため上記した実施例にこだわるものではない。
また、上記実施例では取り外して給水するタンクを取り付けたが、バルブ付きの水配管により自動的にタンクに給水したり直接蒸発皿に給水したりする方法もあり上記した実施例にこだわるものではない。
また上記実施例では笠１２を、下方に向かうほど細くなる円錐台の外形を有する筒としたが、円形や多角形の断面を有する柱形や錐形の外形を有する筒としてもよく上記した実施例にこだわるものではない。
【００１４】
また、上記実施例では個人が自宅で使用するのに適した比較的小型の照明器具の実施例について記載したが、中型の照明器具として喫茶店や料亭などに置いて落ち着いた雰囲気を醸し出す目的で使用したり、大型の照明器具としてホテルや展示会やショーなどの会場に置いて人目を引く展示物として使用しすることも可能である。
このような場合は比例的にそれぞれの大きさをサイズアップした形状とすればよいが、照明や送風能力や蒸気発生能力などについてはサイズアップした倍率を二乗した数値を乗じた値の能力のものを選定することが好ましい。
【００１５】
【発明の効果】
本発明により、煙を発生させる方法の持つ環境を汚染する問題をなくし、さらに、ドライアイスや液体窒素などを使用する方法の持つ費用がかかる問題をなくした照明器具を提供することができた。
また、一定の光を放つ単純な照明でなく、回りの空気流の変化に応じて形を変えたり、動いたり、壊れたり、消えたり、再生したりして、様々な表情を見せる照明器具を提供することができた。
また、非日常的な自然現象をイメージさせる光を発する照明器具であって、旋回する水蒸気に光を照射して、竜巻状の反射光を発生させる照明器具を提供することができた。
さらに、寝室や静かに瞑想したい部屋などに置いて個人的に自らの気持ちを落ち着かせるために使用したり、喫茶店や料亭などに置いて落ち着いた雰囲気を醸し出す目的で使用したり、ホテルや展示会やショーなどの会場に置いて人目を引く展示物として使用できる照明器具を提供することができた。
【図面の簡単な説明】
【図１】第１実施例の斜視図である。
【図２】第２実施例の斜視図である。
【図３】第３実施例の斜視図である。
【図４】第１実施例の正面図である。
【図５】第１実施例の平面図である。
【図６】図５のＢ−Ｂ視断面図である。
【図７】図５のＡ−Ａ視断面図である。
【図８】第１実施例のノズルから吹き出す空気の流れを表現した説明図である。
【図９】第２実施例のノズルから吹き出す空気の流れを表現した説明図である。
【符号の説明】
１  ：照明器具            ２  ：照明器具          ３  ：照明器具
４  ：吸引部              ５  ：ベース部          ６  ：送風機
７  ：送風機              ８  ：電球              ９  ：電球
１０  ：ソケット          １１  ：ソケット        １２  ：笠
１２ａ：口                １３  ：アーム          １４  ：水面
１５  ：チャンバ          １５ａ：上面            １５ｂ：ノズル
１５ｃ：整流板            １５ｄ：補助ノズル      １５ｅ：補助ノズル
１５ｆ：補助ノズル        １５ｇ：開口            １５ｈ：下面
１６  ：蒸発皿            １６ａ：開口            １６ｂ：天井板
１６ｃ：穴                １６ｅ：突起            １７  ：透明板
１８  ：水                １９  ：水位センサ      ２０  ：加湿器
２１  ：ホルダ            ２２  ：タンク          ２２ａ：導水管
２２ｂ：下端              ２２ｃ：空洞            ２３  ：ピン
２３ａ：頭                ２５  ：バネ            ２６  ：支柱
２６ａ：カバ              ２６ｂ：空間            ３０  ：空気流
３０ｄ：空気流            ３０ｅ：空気流          ３０ｆ：空気流
【図１】
0004538167.tif 000002
【図２】
0004538167.tif 000003
【図３】
0004538167.tif 000004
【図４】
0004538167.tif 000005
【図５】
0004538167.tif 000006
【図６】
0004538167.tif 000007
【図７】
0004538167.tif 000008
【図８】
0004538167.tif 000009
【図９】
0004538167.tif 000010